(57)【特許請求の範囲】
【請求項１】
操作パネル２３にコイン投入口２４と精白度選択スイッチ２７とデータ集計用スイッチ２９とを設け、料金をコイン投入口２４に投入すると共に精白度選択スイッチ２７を選択すると設定時間精米装置５が稼動し、データ用スイッチ２９を操作すると操作パネル２３内に備えるコントローラ３２を介してプリンター３０が作動する構成とする無人型精米装置において、前記データ集計用スイッチ２９を操作するとプリンター３０が作動して、前回のデータ集計用スイッチ２９の操作以後の精米装置５の稼動時間及び投入された料金額の集計のデータや所定量の玄米を精米作業するのに性能上決めた基準時間以上要した場合のデータをデ−タ打出し用紙にプリントする構成としたことを特徴とする無人型精米装置。
【発明の詳細な説明】
【０００１】
【発明の属する技術分野】
本発明は、普通コイン精米機の名で親しまれている無人型精米装置に関するものである。
【０００２】
【従来技術】
従来、特開昭６３−１３７３９７号公報に開示されている通り、無人精米装置は公知であり、このものは、定期的にお金の集金をするときに、その精米運転時間や精米料金がデ−タ集計される構成になっていた。しかし、精米機の部品交換時期などの要求品質に対する状況等は何等デ−タ内に開示されていなかった。
【０００３】
【発明が解決しようとする課題】
前述の従来技術のものでは、長時間の運転により部品が摩耗したり壊れかけになっていて満足な精米状態が得られない状態でも、これを知る手段がなく、お客さんに迷惑をかける事態に終わっていた。
【０００４】
【課題を解決するための手段】
この発明は、前述の課題を解消するために次の技術的な手段を講じた。即ち操作パネル２３にコイン投入口２４と精白度選択スイッチ２７とデータ集計用スイッチ２９とを設け、料金をコイン投入口２４に投入すると共に精白度選択スイッチ２７を選択すると設定時間精米装置５が稼動し、データ用スイッチ２９を操作すると操作パネル２３内に備えるコントローラ３２を介してプリンター３０が作動する構成とする無人型精米装置において、前記データ集計用スイッチ２９を操作するとプリンター３０が作動して、前回のデータ集計用スイッチ２９の操作以後の精米装置５の稼動時間及び投入された料金額の集計のデータや所定量の玄米を精米作業するのに性能上決めた基準時間以上要した場合のデータをデ−タ打出し用紙にプリントする構成としたことを特徴とする無人型精米装置とした。
【０００５】
これによって、コイン集金の時に、デ−タ集計用スイッチを操作すると、コイン集計デ−タ−シ−ト自体に前回のデータ集計用スイッチ２９の操作以後の精米装置５の稼動時間及び投入された料金額の集計のデータや所定量の玄米を精米作業するのに性能上決めた基準時間以上要した場合のデータが当該デ−タシ−トに記入される。
【０００６】
【発明の効果】
この発明によれば、コイン集金の時に、デ−タ集計用スイッチ２９を操作すると、コイン集計デ−タ−シ−トに前回のデータ集計用スイッチ２９の操作以後の精米装置５の稼動時間及び投入された料金額の集計のデータや所定量の玄米を精米作業するのに性能上決めた基準時間以上要した場合のデータが記入されるから、デ−タシ−トを集計する人が、該コイン精米機の機械的あるいは電気的技術に疎い人であっても、これをコイン精米機の技術管理者がみると、精米装置５が性能上から決めた基準時間をオーバーして精米作業の能率が不可の状態であることがわかり、メンテの必要性が判断でき、従来のように性能が悪くなった精米装置５のままで長期間放置してお客さんに迷惑をかける前に、迅速にメンテナンス作業を実施できる。
【０００７】
【発明の実施の形態】
この発明の一例を図面に基づき詳細に説明する。第１図はコイン精米機が装備されたハウスを平面視で描いたものであり、１がハウス、２が玄米投入ホッパ−、３が移送装置、４が揚穀機を具備する石抜き装置、５が精米装置、６が白米収容ホッパ−、７が糠吸引サイクロン、８が糠収容タンク、９が白米排出受ホッパ−である。
【０００８】
このコイン精米機の主要部を説明すると、第２図において、精米装置５における精白室１０の内部に精白ロ−ル１１を軸架させ、その外周部には除糠スクリ−ン１２を張設し、前記精白ロ−ル１１の前側には、このロ−ルと一体に玄米送り込み螺旋軸１３を設けると共に、この軸を駆動するプ−リ１４を設けている。そして、この精米装置５は糠受ホッパ−１５の上部に位置し、また、前記螺旋軸１３の部分に玄米受入ホッパ−１６を連設させ、この玄米受入ホッパ−１６に前記石抜装置４から移送される玄米排出口を連設している。
【０００９】
１７は糠吸引ファンで、前記糠受ホッパ−１５及び前記精白ロ−ル１１の内筒に連通させた移送筒に連繋されていて、精米時の糠を吸引するよう構成している。そして、この糠吸引ファン室と前記糠収容タンク８とを糠吸引サイクロン７を介して連通させている。図中符号の１８は、精搗後の白米排出口の排出抵抗を調節付与する圧迫蓋で、この調節は、正逆回転可能なサ−ボモ−タ１９により回転される搬送螺子体２０とバネ２１とで行う構成としている。２２は精米機の動力源であるモ−タを示す。
【００１０】
次に、このコイン精米装置の操作パネル２３について説明する。このパネル２３には、制御部であるＣＰＵに連通された各部の操作スイッチ類及び表示器類が設けられていて、コイン投入口および返却口も設けられている。具体的な実施例では、２４がコイン投入口、２５が返却口、２６が料金表示器、精白度選択スイッチ２７ａ，２７ｂ，２７ｃ、２８が運転始動用のスタ−トスイッチ、２９が集計デ−タ取り出し用のチェックスイッチでる。このスイッチ２９は、コイン精米機のオ−ナ側の作業員が操作するためのものであるため、施錠付き蓋を有したボックス内に隠されている。
【００１１】
制御部であるコントローラ３２（ＣＰＵ）と各操作指令の入力信号とＣＰＵから出される出力指令信号は、第４図で示した通りである。入力信号としては、コイン投入に起因して、その投入料金に相当する作動時間を設定し、スタ−トスイッチ２８を操作した時点から設定作動時間の間モ−タ２２が作動するようにする信号あるいは、精白度選択スイッチ２７ａ，２７ｂ，２７ｃを選択して操作することにより、前記サ−ボモ−タ１９を正逆転させて「上白搗」、「標準搗」「八分搗」にする信号、更には、デ−タ集計用スイッチ２９の操作により、プリンタ−３０を作動して、前回のスイッチ２９の操作以後の稼働時間及び料金額の集計及び故障事項や要求品質から逸脱した事項等をデ−タ打出し用紙にプリントする。また、同時に異常表示器３１には異常個所や注意事項が表示される。
【００１２】
上記要求品質の具体的事項について説明すると、コントロ−ラ３２に要求品質基準の設定器３３から規定の基準設定値を打ち込んで記憶させると共に、ハ−ドの精米機側に設けた要求品質のチェック測定機３４側からのデ−タをコントロ−ラ３２に取り込み、前記の記憶した設定値とこの測定デ−タ−値とを比較演算して、これをプリンタ−３０及び異常表示器３１側へ送信することになる。例えば、性能面の低下時について第１に説明すると、玄米１０キログラムを「標準搗」で精米するとき、５分間で完了するように性能を決め、１００円金貨の投入で６分間精米機が稼働する構成としている。このとき、お客さんがコイン精米機を使用するとき、１００円を投入して玄米１０キログラムを「標準搗」するのに６分以上時間がかかるようでは、後１００円追加料金が必要になり、お客さんに対して迷惑をかけることになる。したがって、少なくとも５分４０秒程度の所要時間を要求品質限界におき、作業開始から５分４０秒以上の所要時間がかかったときには、これを「能率不可」という表示の限界信号がデ−タシ−トに打ち込まれると共に、異常表示器３１にこれが表示されるようにする。また、「上白搗」及び「八分搗」の場合にも同じように性能上から決めた基準時間をオ−バするときにデ−タ及び表示されるように構成している。
【００１３】
この能率低下の要因の一つは、搗精部分の送穀ラセンの搬送能力に起因することが多い。このラセンに米の蝋質が多量に付着しはじめると、搬送性能が急激に低下して能率があがらなくなる。したがって、このラセンの蝋質付着度を検出する検出器を設け、この検出器からの信号と予めコントロ−ラ３２に記憶させた設定基準値との比較からデ−タシ−トに注意マ−クを付すよう構成してもよい。そして、このシ−トから注意マ−クを認知して蝋質付着を除去するメンテを実行すればよい。
【００１４】
第２の性能要求品質は、精白度の低下にたいする品質で、「標準搗」にセットしているにも拘らず、精白状態が悪い場合にこれを検出してデ−タシ−ト及び異常表示器３１に表示するようにしている。この要求品質チェック測定器３２としての具体的な精白度検出器は、基準の白米に一定の光源から光を照射して、その反射光を電光計で測定したデ−タを不揮発メモリとしてＣＰＵに記憶させ、実際に精米した仕上がり白米の排出口から出てくる白米を電光計で測定した入力測定信号値と前記記憶のデ−タとを比較して、精白度の比較演算をして、決められた要求品質の基準値以下になるとき、「精白不可」という表示限界信号がデ−タシ−トに打ち込まれると共に、異常表示器３１に表示されるように構成している。
【００１５】
また、搗精部品の摩耗が要求品質の限度を越えるような場合には、これが検出されてデ−タシ−トに打ち込まれると共に異常表示器３１に表示されるようにする。具体的な一実施例を示すと、例えば、搗精用の精白ロ−ル１０の摩耗が進み搗精能力が低下するようなときには、その摩耗度を検出してデ−タシ−ト及び異常表示器３１に表示するようにしている。この摩耗度の検出には、この精米装置の実質的な精米時間の集計値から予測するのが一般的であり、一時間使用するときロ−ル径がいくら摩耗するかをテストデ−タによって設定し、このデ−タをＣＰＵに記憶させておき、これから摩耗度を演算するようにして
いる。なお、実際にロ−ル径の摩耗を所定時間毎に検出する適宜な手段で行ってもよいこと勿論である。
【００１６】
このように、コイン精米機において、コイン集金の時点でデ−タシ−トを回収すべき、デ−タ集計用スイッチ２９を操作すると、このデ−タ−シ−ト自体に精米機の要求品質が確保されなくなっていることを当該デ−タシ−トに記入され、しかも、その要求品質のうちの何の品質が確保されていないがが判別できるように仕分けされたマ−クが打ち出されるから、デ−タシ−トを集計する人が、該コイン精米機の機械的あるいは電気的技術に疎い人であっても、このデ−タシ−トを持ち帰って、これをコイン精米機の技術管理者に見せると、何の部分のメンテが必要であるかが判断でき、業者を介して、あるいは管理者自身が補修することができる。尚、このデ−タシ−トに印加するマ−クについては、「至急」、「普通」、「余裕」の如きメンテの要求実施時期が判別可能にすれば便利である。
【００１７】
したがって、従来のように性能が悪くなった精米機のままで長期間放置してお客さんに迷惑をかけるような事態が解消できると共に、従来のようにコイン精米機に詳しい技術管理者が巡回する必要がなくなりメンテナンス作業の効率を上げることができる。またコイン精米機に詳しい技術管理者自身が巡回している場合には、異常表示器３１により、その場でも異常事態が判断できるから、その場でもメンテすることも可能になり、この場合においても、従来のように精米機の各部を全て点検する必要がなく、故障している部分や取替えが必要な部材等が明示されるために、簡単にメンテすることができる。
【００１８】
尚、更に、この発明を発展させて、上記の異常表示器３１を各地域の管理者詰め所あるいは営業所に設けて、オンラインで管理する構成にすれば極めて便利になる。また、このデイスプレイされる情報を、このコイン精米機の内装ハウス内に設けた留守番電話器に収録する構成となし、この情報を電話で聞けるようにすればむだな巡回を一切なくすることが可能になり、特に無線電話器からこの情報を呼び出せるシステムを採用すれば、更に、便利であり、電話線で繋ぐ必要がなく、一方通行電話になって経費を安くできる。
【図面の簡単な説明】
【図１】 側面図
【図２】 要部の断面図
【図３】 要部の正面図
【図４】 ブロック制御回路図
【符号の説明】
３０ プリンタ−
３１ 異常表示器
３２ コントロ−ラ
３３ 要求品質基準の設定器
３４ 要求品質のチェック測定器
【図１】
0004022575.tif 000002
【図２】
0004022575.tif 000003
【図３】
0004022575.tif 000004
【図４】
0004022575.tif 000005